(57)【特許請求の範囲】
【請求項１】
水道蛇口に直結する槓杆切替栓一体型浄水器の槓杆切替えで、水道水ストレート吐水／水道水シャワー吐水／浄化水吐水が可能な直結型浄水器において、流量検出体と圧力変位体とを内蔵する流水検出管は原水流入口と水路管Ｂ連絡口と浄水器カートリッジ流入口用結合口とを有する水路管Ａと、浄水器カートリッジ流出口用結合口と水路管Ａ連絡口と浄水流出口とを有する水路管Ｂと、からなり、該水路管Ａの原水流入口に内設される流量検出体は原水流入口側から順に、回転羽根支持軸を有する前段整流羽根と、磁石Ｂを内蔵する回転羽根と、該回転羽根と水中摺動する後段整流羽根と、が配置されてなり、圧力変位体は該水路管Ｂ連絡口側に水圧の受圧面がくるように該水路管Ｂ連絡口と該水路管Ａ連絡口との間に挟着されたダイヤフラムと、該水路管Ａ連絡口側の該ダイヤフラムの片面に設けられガイド軸を有するダイヤフラム板と、該ダイヤフラム板を常時弾発付勢している圧縮渦巻発条と、該ガイド軸に結合されたコア又は磁石Ｃと、からなり、該流水検出管と、該圧力変位体の外周壁近傍に配設又は接離動可能に別設される磁気検出装置Ｃと、該流量検出体の外周壁近傍に並設又は接離動可能に別設される磁気検出装置Ｂと、該磁気検出装置Ｂ及び該磁気検出装置Ｃ及びマイコン内蔵のタイマ／イベント・カウンタ／アップ・ダウン・カウンタ機能等の時間計数部からの信号を演算処理する電子回路部品が実装された印刷配線基板ユニットと、電池と、ＬＥＤランプ・ＬＣＤ等の表示装置及び／又はブザー・スピーカ等の警報装置からなる寿命表示器と、槓杆と水道水ストレート吐水口と水道水シャワー吐水口とを有する切替弁本体と、該切替弁本体と原水流入口とを結合する配管部材と、該水路管Ｂの浄水流出口に結合される流出管と、直結型浄水器ケースと、からなる直結型浄水器本体であって、該槓杆切替えで浄化水吐水に切替えた場合に、水道水は、該流量検出体の回転羽根を回転させながら、順に原水原水流入口と水路管Ｂ連絡口と浄水器カートリッジ流入口用結合口とを有する水路管Ａ内を通り、直結型浄水器本体外部の流入口と流出口とを有する浄水器カートリッジの流入口から内部に流入し、浄水器カートリッジ内で浄化され、そして浄水器カートリッジの流出口から流出してきた浄化された水道水は、直結型浄水器本体に戻され、順に浄水器カートリッジ流出口用結合口と水路管Ａ連絡口と浄水流出口とを有する水路管Ｂ内を通って、流出管流出口から吐水されるように配管されていて、該浄化された水道水の水圧で該圧力変位体のダイヤフラムが変位をし、該流量検出体の回転羽根の回転で該磁気検出装置Ｂが信号を出力し、該圧力変位体のダイヤフラムの変位で磁気検出装置Ｃが信号を出力し、該印刷配線基板ユニットが該信号を演算処理して該寿命表示器に表示することを特徴とする寿命表示器付き浄水器。
【請求項２】
水道蛇口に直結する分岐栓から配水される据置型浄水器において、流量検出体と圧力変位体とを内蔵する流水検出管は原水流入口と水路管Ｂ連絡口と浄水器カートリッジ流入口用結合口とを有する水路管Ａと、浄水器カートリッジ流出口用結合口と水路管Ａ連絡口と浄水流出口とを有する水路管Ｂと、からなり、該水路管Ａの原水流入口に内設される流量検出体は原水流入口側から順に、回転羽根支持軸を有する前段整流羽根と、磁石Ｂを内蔵する回転羽根と、該回転羽根と水中摺動する後段整流羽根と、が配置されてなり、圧力変位体は該水路管Ｂ連絡口側に水圧の受圧面がくるように該水路管Ｂ連絡口と該水路管Ａ連絡口との間に挟着されたダイヤフラムと、該ダイヤフラムの片面に設けられガイド軸を有するダイヤフラム板と、該ダイヤフラム板を常時弾発付勢している圧縮渦巻発条と、該ガイド軸に結合されたコア又は磁石Ｃと、からなり、該流水検出管と、該圧力変位体の外周壁近傍に配設又は接離動可能に別設される磁気検出装置Ｃと、該流量検出体の外周壁近傍に並設又は接離動可能に別設される磁気検出装置Ｂと、該磁気検出装置Ｂ及び該磁気検出装置Ｃ及びマイコン内蔵のタイマ／イベント・カウンタ／アップ・ダウン・カウンタ機能等の時間計数部からの信号を演算処理する電子回路部品が実装された印刷配線基板ユニットと、電池と、ＬＥＤランプ・ＬＣＤ等の表示装置及び／又はブザー・スピーカ等の警報装置からなる寿命表示器と、分岐栓からの給水ホースが接続できる流入管と、該流入管と原水流入口とを結合する配管部材と、該水路管Ｂの浄水流出口に結合され分岐栓へ戻さず直接浄化水が吐水できる吐水パイプ或いは分岐栓への吐水ホースが接続できる流出管と、据置型浄水器ケースと、からなる据置型浄水器本体であって、該分岐栓から配水された水道水は、該流入管を通り、該流量検出体の回転羽根を回転させながら、順に原水原水流入口と水路管Ｂ連絡口と浄水器カートリッジ流入口用結合口とを有する水路管Ａ内を通り、該据置型浄水器内の流入口と流出口とを有する浄水器カートリッジの流入口から内部に流入し、浄水器カートリッジ内で浄化され、そして浄水器カートリッジの流出口から流出してきた浄化された水道水は、順に浄水器カートリッジ流出口用結合口と水路管Ａ連絡口と浄水流出口とを有する水路管Ｂ内を通り、該吐水パイプ或いは該流出管から吐水されるように配管されていて、該浄化された水道水の水圧で該圧力変位体のダイヤフラムが変位をし、該流量検出体の回転羽根の回転で該磁気検出装置Ｂが信号を出力し、該圧力変位体のダイヤフラムの変位で磁気検出装置Ｃが信号を出力し、該印刷配線基板ユニットが該信号を演算処理して該寿命表示器に表示することを特徴とする寿命表示器付き浄水器。
【請求項３】
水路管Ｂの浄水流出口及び／又は該浄水流出口に結合される流出管に、渦巻発条形状等の銀及び／又は銅を含有する抗菌部材を内設したことを特徴とする請求項１又は２記載の寿命表示器付き浄水器。
【請求項４】
ダイヤフラム及び／又はダイヤフラム板及び／又は圧縮渦巻発条に、銀及び／又は銅の鍍金、塗布、被覆加工を施したことを特徴とする請求項１又は２記載の寿命表示器付き浄水器。
【請求項５】
ガイド軸に結合されたコア又は磁石Ｃに、銀及び／又は銅の鍍金、塗布、被覆加工を施したことを特徴とする請求項１又は２記載の寿命表示器付き浄水器。
【請求項６】
圧力変位体の外周壁近傍に接離動可能に別設される磁気検出装置Ｃと、流量検出体の外周壁近傍に接離動可能に別設される磁気検出装置Ｂと、該磁気検出装置Ｂ及び該磁気検出装置Ｃ及びマイコン内蔵のタイマ／イベント・カウンタ／アップ・ダウン・カウンタ機能等の時間計数部からの信号を演算処理する電子回路部品が実装された印刷配線基板ユニットと、電池と、ＬＥＤランプ・ＬＣＤ等の表示装置及び／又はブザー・スピーカ等の警報装置からなる寿命表示器と、を寿命表示器ケース内に収納し、浄水器本体の正面部に内設したことを特徴とする請求項１又は２記載の寿命表示器付き浄水器。
【請求項７】
圧力変位体の外周壁近傍に接離動可能に別設される磁気検出装置Ｃと、流量検出体の外周壁近傍に接離動可能に別設される磁気検出装置Ｂと、該磁気検出装置Ｂ及び該磁気検出装置Ｃ及びマイコン内蔵のタイマ／イベント・カウンタ／アップ・ダウン・カウンタ機能等の時間計数部からの信号を演算処理する電子回路部品が実装された印刷配線基板ユニットと、ＬＥＤランプ・ＬＣＤ等の表示装置及び／又はブザー・スピーカ等の警報装置からなる寿命表示器と、を寿命表示器ケース内に収納し、浄水器本体の正面部に内設したことを特徴とする請求項１又は２記載の寿命表示器付き浄水器。
【請求項８】
浄水器カートリッジへの無通水時はダイヤフラムが水路管Ａ又は水路管Ｂの内壁に密接して原水流入口内の水を滞留させる止水弁効果を、又水道蛇口等の給水栓の負圧時はダイヤフラムが水路管Ａ又は水路管Ｂの内壁と密接して浄水器カートリッジ流入口用結合口内の水を吸水させない逆止弁効果を、それぞれ作用させることができることを特徴とする請求項１又は２記載の寿命表示器付き浄水器。
【請求項９】
請求項８記載の寿命表示器付き浄水器において、浄水器カートリッジへの無通水時においては回転羽根支持軸を有する前段整流羽根と、磁石Ｂを内蔵する回転羽根と、該回転羽根と水中摺動する後段整流羽根と、からなる流量検出体を水中待機させ、低流量通水開始時においても該回転羽根を回転させることができることを特徴とする請求項１又は２記載の寿命表示器付き浄水器。
【発明の詳細な説明】
【０００１】
【発明の属する技術分野】
本発明は、水道水、井戸水等の原水を浄化水に改水する浄水器カートリッジ、及び該浄水器カートリッジが搭載でき該浄水器カートリッジの寿命等の表示及び／又は警報ができる寿命表示器付き浄水器に係るものであり、詳しくはリサイクル可能な浄水器カートリッジと、該浄水器カートリッジのカートリッジ型式（逆取付）、活性炭の寿命、中空糸膜フィルタの寿命、が個別に検出できて、各々の積算値等のデータをはじめ、メッセージ等の各種データ情報を、任意に寿命表示器に表示及び／又は警報（メロディを含む。）させることができる浄水器と、流量センサの流量検出精度改善と、止水弁機能や逆止弁機能等の複合機能が期待できる差圧センサと、等に関する。
【０００２】
【従来の技術】
従来、主流の浄水器カートリッジには、活性炭カートリッジと、中空糸膜フィルタカートリッジと、活性炭＋中空糸膜フィルタカートリッジと、等がある。
細部において、活性炭には粉末状、粒状、球状、繊維状、フエルト状、等の形態があり、中空糸膜フィルタに使用される中空糸にはポリエチレン中空糸、ポリスルホン中空糸、等の材質がある。
通常は活性炭の量（総表面積）や質（銀添、賦活方法、残留塩素分解用有機物除去用、新品リサイクル品）により寿命（例えば、規定〔２ｐｐｍ〕の残留塩素濃度含有の水道水を通過させ、規定〔０．４ｐｐｍ〕の残留塩素濃度含有の浄化水が流出されてきた場合。）が異なる。ここでいう寿命とは活性炭の処理可能な残留塩素（水道水）総量をいう。又、活性炭の不活性化（劣化）特性により使用限界（有効期限寿命）もある。
又中空糸膜フィルタの本数等（孔径、総表面積、断面積）により寿命（例えば、規定〔濁度１０〕の濁度含有の水道水を通過させ、規定〔濁度２〕の濁度含有の浄化水が流出されてきた場合。）が異なる。ここでいう寿命とは中空糸膜フィルタの使用時間でなく、処理可能な濁度（水道水）総量をいう。
【０００３】
参考ではあるが、例えば、有機物、残留塩素、硬度、不純物、異物、濁度、異臭等を除去、改質、改変、改善するための浄化装置（カートリッジ）には、例えば、金属メッシュフィルタ、ゴムメッシュフィルタ、樹脂メッシュフィルタ、不織紙フィルタ、不織布フィルタ、セルローズ繊維フィルタ、ガラス繊維フィルタ、還元性物質、吸着性物質、活性炭、亜硫酸カルシウム、キチンキトサン粉末、シリカゲル、麦飯石等の漢方薬、中空糸膜フィルタ、精密ろ過膜（ＭＦ膜）フィルタ、限外ろ過膜（ＵＦ膜）フィルタ、逆浸透膜（ＲＯ膜）フィルタ、電子交換体、イオン交換体（有機ゼオライト、無機ゼオライト、合成ゼオライト含む。）、イオン交換膜、イオン交換紙、イオン交換繊維、イオン交換樹脂、イオン交換樹脂触媒、オゾン発生装置、磁石（電磁石含む。）、セラミック体（例えば、セラミックボール）、多孔性無機物質、半導体（例えば、樹脂ボール体に二酸化チタンコーティング）等で構成されたもの等があり、さらに、除菌・抗菌・殺菌・微生物抑制剤（例えば、酸化チタン、亜鉛華）等を添加したものもある。
【０００４】
従来、浄水器の種類には、給水管又は給水栓の流出側に取り付けて常時圧力が作用する浄水器Ｉ型（浄水器の流出側に止水機構を設けたもの）と、給水栓の流出側に取り付けて常時圧力が作用しない浄水器II型（浄水器の流出側に止水機構が無いもの）と、等に区分されていた。
そして、水道蛇口に直結する直結型浄水器〔いわゆる槓杆切替栓一体型浄水器で、通常、槓杆切替えで水道水ストレート吐水／水道水シャワー吐水／浄化水吐水が可能である。〕と、水道蛇口に直結する分岐栓から配水される据置型浄水器〔いわゆる分岐栓分離式の据置型浄水器、例えば、ミネラル水生成器、冷水器、アルカリイオン整水器、等が該当する。通常は、分岐栓と据置型浄水器とを給水ホース等で接続して使用し、分岐栓の槓杆切替えで水道水ストレート吐水／水道水シャワー吐水／据置型浄水器への配水が可能である。〕と、等がある。
【０００５】
さて、流量積算値の記憶及び／又は表示の機能を有する流量表示器を搭載する浄水器には、例えば、特開昭６０−９９３８１号公報等で開示されているように、羽根車とカウンタ（流量表示器）とを組合せたもの（メカ式）と、特開平３−２９３０８５号公報等で開示されているように、流量センサと電子制御システムとを組合せたもの（電子式）と、が知られている。
【０００６】
電子制御システムは、例えば、印刷配線基板（印刷配線基板とは一般的にプリント配線板と呼ばれるもので、概要として銅張積層板の銅箔においては電気回路に必要な配線パターンだけをエッチング処理で残し、実装する部品等のリード足形状等に合わせて穿孔し、ソルダーレジスト処理及びシルク文字印刷等を施して完成されるものをいう。製造工程及び手順はメーカにより異なる場合がある。）に電子回路部品の制御マイコン（例えば、８ビット・マイコン、ＲＯＭ、ＲＡＭ等が一体になっているもの。）、外部記憶装置（例えば、ＲＡＭ、ＥＥＰＲＯＭ、フラッシュメモリ等）、抵抗、コンデンサ、トラジスタ、ダイオード、ＩＣ等を実装した印刷配線基板ユニットと、操作スイッチ類と、ＬＥＤランプ・ＬＣＤ等の表示装置及び／又はブザー・スピーカ等の警報装置と、等で構成される場合が多い。
【０００７】
流量センサは、回転羽根支持軸を有する前段整流羽根と、磁石を内蔵する回転羽根と、該回転羽根と水中摺動する後段整流羽根と、からなる流量検出体と、該流量検出体の外周部近傍に接離動可能に別設される磁気検出装置と、からなる分離型羽根車式流量センサ、又は、回転羽根支持軸を有する前段整流羽根と、磁石を内蔵する回転羽根と、該回転羽根と水中摺動する後段整流羽根と、該磁石の外周部近傍に並設され接離動不可能な磁気検出装置と、からなる一体型羽根車式流量センサ、が主流である。
該磁気検出装置（磁性感動素子）には、例えば、リードスイッチ、ホールＩＣ、磁気抵抗、コイル等があり、通常はガラス管封入形リードコンタクト式の常時開路接点（ａ接点又はメーク接点ともいう。）のリードスイッチが多用されている。コスト的にはホールＩＣが有利な場合もある。
【０００８】
前記羽根車式流量センサは、浄水器内を通過する水（原水又は浄化水）の瞬間流量等を検出するために搭載するものであり、その瞬間流量検出信号（回転する磁石の磁界がリードスイッチに影響を及ぼし、リードスイッチ接点が短絡状態になったり開放状態になったりすることにより、例えば、電気抵抗部品等でプルアップしている電気回路を採用した場合は、パルス信号として出力される。）に基づきマイコンで流量積算値等を演算処理して算出し、ＲＡＭ（ＥＥＰＲＯＭ、フラッシュメモリ等でも良い。）等にそのデータを記憶させ、該流量積算値と比較値（寿命判定値、寿命初期値等で、予めＲＯＭ、ＥＥＰＲＯＭ等に登録されている。）とを比較して、該比較値を超過した場合は、例えば、ランプやブザー等で浄水器カートリッジ等の交換時期を使用者に報知する等の判断に用いられる重要な要素部品である。
そして、流量センサを浄水器カートリッジより下方部に設置する場合は、流量センサ内に空気が通過しても暫くすれば水（原水又は浄化水）で充満されて、精度の良い流量検出ができるものである。
【０００９】
ところで、流量センサ以外で、水の特性（例えば、水圧）を検出するセンサを用いた（応用した）技術には、例えば、実開平３−１１９４９５号公報等で開示されているように、浄水器カートリッジの流入口部の水圧Ｈと、浄水器カートリッジの流出口部の水圧Ｌと、の圧力差を検出する圧力センサ（圧力スイッチとしての利用。）で、電源を投入できる水処理装置が知られている。
又、特開平５−１９２６５４号公報等で開示されているように、２つの圧力センサで中空糸膜フィルタ等の圧力損失等を検出し寿命判定している浄水器が知られている。
【００１０】
例えば、登録実用新案第３０１２１５２号公報等で開示されているように、浄水器カートリッジに磁石等を埋設（一体成形すると良い。）し、又印刷配線基板ユニットに磁気検出装置を搭載しておけば、該浄水器カートリッジを着脱（交換）すると、該磁気検出装置が或る信号を発信して印刷配線基板ユニットの電子回路部品で積算流量リセット処理等が実施できることは公知である。又、流量表示器にスイッチ等を設けておけば、該スイッチの入力により、印刷配線基板ユニットの電子回路部品で積算流量リセット処理等が実施できることも公知である。
【００１１】
【発明が解決しようとする課題】
しかしながら、従来の流量表示器を搭載する浄水器においては、流量センサと圧力（差圧）センサの両方を搭載し、活性炭及び中空糸膜フィルタの両者の寿命を各々表示しているものが見当たらず、ただ規定の通水総流量を超越した時を寿命と判断しているもので、活性炭及び／又は中空糸膜フィルタそのものの寿命を判断しているものでなく、未だ活性炭及び／又は中空糸膜フィルタそのものが使用できる状態であっても、浄水器カートリッジを交換するように表示及び／又は警報させていて、ランニングコスト高であるという問題点があった。
【００１２】
又、浄水器カートリッジにおいても、分解不可能なカートリッジ容器毎廃却（例えば、可燃ごみ、不燃ごみ、資源ごみ等の分別ができない。）していて、ランニングコスト高であり、リサイクルが遅れているという問題点があった。
そして、浄水器が使用される消費者のライフスタイルに合わせ、活性炭の量及び／又は中空糸膜フィルタの中空糸本数等が異なる複数のカートリッジ型式（又は寿命）を有する浄水器カートリッジにおいて、複数のカートリッジ型式を有する浄水器カートリッジを１台の浄水器に取付けて、そのカートリッジ型式（逆取付）を識別（及び／又はその識別に基づき予めＲＯＭ、ＥＥＰＲＯＭ等に登録されている寿命判定値、寿命初期値等を書換〔修正〕）したり、活性炭及び／又は中空糸膜フィルタそのものの寿命を判断したりできる浄水器がないという問題点があった。
【００１３】
流量センサにおいては、設計上、浄水器カートリッジの上方部又は水平部に設置する場合は、流量センサに水と空気とが混在（水に含有されている気体も含む。）すると、流量センサだけでは気水分離機能を持たないために、低流量通水開始時においては回転するはずの回転羽根（羽根車）が回転しない等の障害が発生することがありえるという問題点があった。
【００１４】
圧力センサにおいては、圧力（水圧）を検出するだけの機能だけであり、浄水器として要求される止水弁機能や逆止弁機能等については、別に止水弁や逆止弁等の部材が必要であるという問題点があった。
【００１５】
本発明は、従来の技術の有するこのような問題点を鑑みてなされたものであり、その目的とするところは、低流量通水開始時においても回転羽根（羽根車）が回転する流量センサと、止水弁機能や逆止弁機能等を有する差圧センサと、の複合センサにより、活性炭及び／又は中空糸膜フィルタそのものの寿命を判断し、その寿命等を各々表示及び／又は警報させることができ、又寿命の短い活性炭においては活性炭の交換ができる浄水器カートリッジを採用し、活性炭の量及び／又は中空糸膜フィルタの中空糸本数等により、カートリッジ型式（又は寿命）の異なる複数の浄水器カートリッジが扱える寿命表示器付き浄水器を提供しようとするものである。
【００１６】
【課題を解決するための手段】
上記目的を達成するために、本発明の寿命表示器付き浄水器においては、以下の特徴を有する。
浄水器カートリッジは複数の磁石Ａを埋設し複数のカートリッジ型式（又は寿命）がある浄水器カートリッジを使用し、浄水器本体に複数の磁気検出装置Ａを設け、該磁気検出装置Ａの組合せ信号によりカートリッジ型式及び／又は通水方向逆取付が検出できるものにおいて、浄水器本体から浄水器カートリッジが離脱した場合に「離」と検出判断し、新しい浄水器カートリッジを浄水器本体に取付けた場合に「着」と検出判断し、浄水器カートリッジを通水方向と逆に浄水器本体に取付けた場合に「逆」と検出判断し、「離」の後に「着」が検出され直前に通水方向逆取付がなかった場合、カートリッジ型式別に寿命判定に用いる寿命初期値やデータを書換保持することができ、「離」の後に「逆」が検出され逆流洗浄が実施された場合、保持しているデータを書換（修正）保持することができることを特徴とする。
「離」の後に「着」が検出され直前に通水方向逆取付があった場合は、寿命初期値やデータを書換保持せずに、積算やカウント等の信号処理の続行を行うだけである。同様に「離」の後に「逆」が検出され逆流洗浄が実施されなかった場合は、保持しているデータを書換（修正）保持しないものである。
【００２０】
そして、浄水器カートリッジのカートリッジ型式及び／又は通水方向逆取付や、寿命初期値及び／又はデータ書換（修正）値等を寿命表示器に表示（ＬＥＤランプ・ＬＣＤ等の表示装置からの表示）及び／又は警報（ブザー・スピーカ等の警報装置からの警報）させたことを特徴とする。
【００２１】
又、活性炭及び／又は中空糸膜フィルタの寿命は、流量センサと、差圧センサと、時間計数部と、からの信号を演算処理して算出し、活性炭の寿命算出値及び／又は中空糸膜フィルタの寿命算出値を寿命表示器に表示及び／又は警報させたことを特徴とする。
【００２２】
詳しくは、活性炭及び／又は中空糸膜フィルタの寿命は、回転羽根支持軸を有する前段整流羽根と、磁石Ｂを内蔵する回転羽根と、該回転羽根と水中摺動する後段整流羽根と、からなる流量検出体と、該流量検出体の外周部近傍に接離動可能に別設される磁気検出装置Ｂと、からなる分離型羽根車式流量センサ、又は、回転羽根支持軸を有する前段整流羽根と、磁石Ｂを内蔵する回転羽根と、該回転羽根と水中摺動する後段整流羽根と、からなる流量検出体と、該流量検出体の外周部近傍に並設され接離動不可能な磁気検出装置Ｂと、からなる一体型羽根車式流量センサと、
ダイヤフラムと、ダイヤフラム板と、コアと、圧縮渦巻発条と、からなる圧力変位体と、該コアの外周部近傍に配設され接離動不可能な磁気検出装置Ｃと、からなる磁気検出コイル式差圧センサ、又は、ダイヤフラムと、ダイヤフラム板と、磁石Ｃと、圧縮渦巻発条と、からなる圧力変位体と、該磁石Ｃの外周部近傍に接離動可能に別設される磁気検出装置Ｃと、からなる磁気感動素子式差圧センサと、
マイコンの外部に接続される振動子の周波数に基づき分周されたクロックを用いて動作するマイコン内蔵のタイマ／イベント・カウンタ／アップ・ダウン・カウンタ機能等の時間計数部（活性炭が原水に触れたときからの経過時間、待機総時間、通水総時間等）と、
からの信号を演算処理して算出し、活性炭及び／又は中空糸膜フィルタの寿命算出値等を寿命表示器に表示及び／又は警報させたことを特徴とする。
【００２３】
浄水器の形態としては、水道蛇口に直結する槓杆切替栓一体型浄水器の槓杆切替えで、水道水ストレート吐水／水道水シャワー吐水／浄化水吐水が可能な直結型浄水器において、流量検出体と圧力変位体とを内蔵する流水検出管と、流量検出体の磁気を検出する磁気検出装置Ｂと、圧力変位体の磁気を検出する磁気検出装置Ｃと、該磁気検出装置Ｂ及び該磁気検出装置Ｃからの信号を演算処理する電子回路部品が実装された印刷配線基板ユニットと、表示装置及び／又は警報装置からなる寿命表示器と、槓杆と水道水ストレート吐水口と水道水シャワー吐水口とを有する切替弁本体と、直結型浄水器ケースと、からなる直結型浄水器本体と、浄水器カートリッジと、からなる直結型浄水器〔いわゆる槓杆切替栓一体型浄水器〕であることを特徴とする。
【００２４】
或いは、水道蛇口に直結する分岐栓から配水される据置型浄水器において、流量検出体と圧力変位体とを内蔵する流水検出管と、流量検出体の磁気を検出する磁気検出装置Ｂと、圧力変位体の磁気を検出する磁気検出装置Ｃと、該磁気検出装置Ｂ及び該磁気検出装置Ｃからの信号を演算処理する電子回路部品が実装された印刷配線基板ユニットと、表示装置及び／又は警報装置からなる寿命表示器と、据置型浄水器ケースと、からなる据置型浄水器本体と、槓杆と切替弁本体とを有する分岐栓と、浄水器カートリッジと、からなる据置型浄水器〔いわゆる分岐栓分離式の据置型浄水器〕であることを特徴とする。
【００２５】
詳しくは、水道蛇口に直結する槓杆切替栓一体型浄水器の槓杆切替えで、水道水ストレート吐水／水道水シャワー吐水／浄化水吐水が可能な直結型浄水器において、流量検出体と圧力変位体とを内蔵する流水検出管は原水流入口と水路管Ｂ連絡口と浄水器カートリッジ流入口用結合口とを有する水路管Ａと、浄水器カートリッジ流出口用結合口と水路管Ａ連絡口と浄水流出口とを有する水路管Ｂと、からなり、該水路管Ａの原水流入口に内設される流量検出体は原水流入口側から順に、回転羽根支持軸を有する前段整流羽根と、磁石Ｂを内蔵する回転羽根と、該回転羽根と水中摺動する後段整流羽根と、が配置されてなり、圧力変位体は該水路管Ｂ連絡口側に水圧の受圧面がくるように該水路管Ｂ連絡口と該水路管Ａ連絡口との間に挟着されたダイヤフラムと、該ダイヤフラムの片面に設けられガイド軸を有するダイヤフラム板と、該ダイヤフラム板を常時弾発付勢している圧縮渦巻発条と、該ガイド軸に結合されたコア又は磁石Ｃと、からなり、該流水検出管と、該圧力変位体の外周壁近傍に配設又は接離動可能に別設される磁気検出装置Ｃと、該流量検出体の外周壁近傍に並設又は接離動可能に別設される磁気検出装置Ｂと、該磁気検出装置Ｂ及び該磁気検出装置Ｃ及びマイコン内蔵のタイマ／イベント・カウンタ／アップ・ダウン・カウンタ機能等の時間計数部からの信号を演算処理する電子回路部品が実装された印刷配線基板ユニットと、電池と、ＬＥＤランプ・ＬＣＤ等の表示装置及び／又はブザー・スピーカ等の警報装置からなる寿命表示器と、槓杆と水道水ストレート吐水口と水道水シャワー吐水口とを有する切替弁本体と、該切替弁本体と原水流入口とを結合する配管部材と、該水路管Ｂの浄水流出口に結合される流出管と、直結型浄水器ケースと、からなる直結型浄水器本体〔いわゆる槓杆切替栓一体型浄水器〕であって、該槓杆切替えで浄化水吐水に切替えた場合に、水道水は、該流量検出体の回転羽根を回転させながら、順に原水原水流入口と水路管Ｂ連絡口と浄水器カートリッジ流入口用結合口とを有する水路管Ａ内を通り、直結型浄水器本体外部の流入口と流出口とを有する浄水器カートリッジの流入口から内部に流入し、浄水器カートリッジ内で浄化され、そして浄水器カートリッジの流出口から流出してきた浄化された水道水は、直結型浄水器本体に戻され、順に浄水器カートリッジ流出口用結合口と水路管Ａ連絡口と浄水流出口とを有する水路管Ｂ内を通って、流出管流出口から吐水されるように配管されていて、該浄化された水道水の水圧で該圧力変位体のダイヤフラムが変位をし、該流量検出体の回転羽根の回転で該磁気検出装置Ｂが信号を出力し、該圧力変位体のダイヤフラムの変位で磁気検出装置Ｃが信号を出力し、該印刷配線基板ユニットが該信号を演算処理して該寿命表示器に表示することを特徴とする。
【００２６】
或いは、水道蛇口に直結する分岐栓から配水される据置型浄水器において、流量検出体と圧力変位体とを内蔵する流水検出管は原水流入口と水路管Ｂ連絡口と浄水器カートリッジ流入口用結合口とを有する水路管Ａと、浄水器カートリッジ流出口用結合口と水路管Ａ連絡口と浄水流出口とを有する水路管Ｂと、からなり、該水路管Ａの原水流入口に内設される流量検出体は原水流入口側から順に、回転羽根支持軸を有する前段整流羽根と、磁石Ｂを内蔵する回転羽根と、該回転羽根と水中摺動する後段整流羽根と、が配置されてなり、圧力変位体は該水路管Ｂ連絡口側に水圧の受圧面がくるように該水路管Ｂ連絡口と該水路管Ａ連絡口との間に挟着されたダイヤフラムと、該ダイヤフラムの片面に設けられガイド軸を有するダイヤフラム板と、該ダイヤフラム板を常時弾発付勢している圧縮渦巻発条と、該ガイド軸に結合されたコア又は磁石Ｃと、からなり、該流水検出管と、該圧力変位体の外周壁近傍に配設又は接離動可能に別設される磁気検出装置Ｃと、該流量検出体の外周壁近傍に並設又は接離動可能に別設される磁気検出装置Ｂと、該磁気検出装置Ｂ及び該磁気検出装置Ｃ及びマイコン内蔵のタイマ／イベント・カウンタ／アップ・ダウン・カウンタ機能等の時間計数部からの信号を演算処理する電子回路部品が実装された印刷配線基板ユニットと、電池と、ＬＥＤランプ・ＬＣＤ等の表示装置及び／又はブザー・スピーカ等の警報装置からなる寿命表示器と、分岐栓からの給水ホースが接続できる流入管と、該流入管と原水流入口とを結合する配管部材と、該水路管Ｂの浄水流出口に結合され分岐栓へ戻さず直接浄化水が吐水できる吐水パイプ（１ウェイ方式：吐水パイプからの浄化水吐水）或いは分岐栓への吐水ホース（２ウェイ方式：分岐栓からの浄化水吐水）が接続できる流出管と、据置型浄水器ケースと、からなる据置型浄水器本体〔いわゆる分岐栓分離式の据置型浄水器〕であって、該分岐栓から配水された水道水は、該流入管を通り、該流量検出体の回転羽根を回転させながら、順に原水原水流入口と水路管Ｂ連絡口と浄水器カートリッジ流入口用結合口とを有する水路管Ａ内を通り、該据置型浄水器内の流入口と流出口とを有する浄水器カートリッジの流入口から内部に流入し、浄水器カートリッジ内で浄化され、そして浄水器カートリッジの流出口から流出してきた浄化された水道水は、順に浄水器カートリッジ流出口用結合口と水路管Ａ連絡口と浄水流出口とを有する水路管Ｂ内を通り、該吐水パイプ或いは該流出管から吐水されるように配管されていて、該浄化された水道水の水圧で該圧力変位体のダイヤフラムが変位をし、該流量検出体の回転羽根の回転で該磁気検出装置Ｂが信号を出力し、該圧力変位体のダイヤフラムの変位で磁気検出装置Ｃが信号を出力し、該印刷配線基板ユニットが該信号を演算処理して該寿命表示器に表示することを特徴とする。
【００２７】
そして、前記浄水器本体（直結型浄水器本体或いは据置型浄水器本体）において、流入口と流出口とを有するカートリッジ容器に活性炭を内蔵し着脱自在な容器蓋を着けた活性炭カートリッジ及び／又は流入口と流出口とを有するカートリッジ容器に中空糸膜フィルタを内蔵させた中空糸膜フィルタカートリッジが嵌脱できるように、水路管Ａに更に活性炭カートリッジ流出口用結合口と水路管Ｂ連結口とを設けて水路管ａとし、水路管Ｂに更に中空糸膜フィルタカートリッジ流入口用結合口と水路管Ａ連結口とを設けて水路管ｂとし、該水路管Ｂ連結口と該水路管Ａ連結口との間に水密パッキン類を挟着したことを特徴とする。
【００２８】
或いは、前記浄水器本体（直結型浄水器本体或いは据置型浄水器本体）において、流入口と流出口とを有するカートリッジ容器に活性炭を内蔵し着脱自在な容器蓋を着けた活性炭カートリッジ及び／又は流入口と流出口とを有するカートリッジ容器に中空糸膜フィルタを内蔵させた中空糸膜フィルタカートリッジが嵌脱でき、活性炭カートリッジ流入口用結合口と活性炭カートリッジ流出口用結合口と中空糸膜フィルタカートリッジ流入口用結合口と中空糸膜フィルタカートリッジ流出口用結合口と水路管Ａ結合口と水路管Ｂ結合口とを有する水路管Ｃを形成し、水路管Ａの浄水器カートリッジ流入口用結合口には該水路管Ａ結合口を結合し、水路管Ｂの浄水器カートリッジ流出口用結合口には該水路管Ｂ結合口を結合したことを特徴とする。
【００２９】
細部においては、管路内の雑菌繁殖等を予防するために、水路管Ｂの浄水流出口及び／又は該浄水流出口に結合される流出管に、渦巻発条形状等の銀及び／又は銅を含有する抗菌部材を内設したことを特徴とする。
【００３０】
又、ダイヤフラム及び／又はダイヤフラム板及び／又は圧縮渦巻発条に、又、ガイド軸に結合されたコア又は磁石Ｃに、銀及び／又は銅の鍍金、塗布、被覆加工を施したことを特徴とする。
【００３１】
電子制御システムを分散させず、なるべく一箇所に設置し防水対策等が容易になるように、圧力変位体の外周壁近傍に接離動可能に別設される磁気検出装置Ｃと、流量検出体の外周壁近傍に接離動可能に別設される磁気検出装置Ｂと、該磁気検出装置Ｂ及び該磁気検出装置Ｃ及びマイコン内蔵のタイマ／イベント・カウンタ／アップ・ダウン・カウンタ機能等の時間計数部からの信号を演算処理する電子回路部品が実装された印刷配線基板ユニットと、電池と、ＬＥＤランプ・ＬＣＤ等の表示装置及び／又はブザー・スピーカ等の警報装置からなる寿命表示器と、を寿命表示器ケース内に収納し、浄水器本体（直結型浄水器本体或いは据置型浄水器本体）の正面部に内設したことを特徴とする。
【００３２】
差圧センサにおいては、浄水器カートリッジへの無通水時はダイヤフラムが水路管Ａ又は水路管Ｂの内壁に密接して原水流入口内の水を滞留させる止水弁効果を、又水道蛇口等の給水栓の負圧時はダイヤフラムが水路管Ａ又は水路管Ｂの内壁と密接して活性炭カートリッジ流入口用結合口内の水を吸水させない逆止弁効果を、それぞれ作用させることができることを特徴とする。
【００３３】
前記差圧センサの止水弁効果や逆止弁効果により流量センサ内の水が抜けることがないので、常に流量検出体を水中待機させることができるものである。
よって、流量センサにおいては、浄水器カートリッジへの無通水時は回転羽根支持軸を有する前段整流羽根と、磁石Ｂを内蔵する回転羽根と、該回転羽根と水中摺動する後段整流羽根と、からなる流量検出体を水中待機させ、低流量通水開始時においても該回転羽根を回転させることができることを特徴とする。
【００３４】
差圧センサと、流量センサと、マイコンの外部に接続される振動子の周波数に基づき分周されたクロックを用いて動作するマイコン内蔵のタイマ／イベント・カウンタ／アップ・ダウン・カウンタ機能等の時間計数部と、からの信号を演算処理して算出することにより、検出値（時間も含む。以下同じ。）、算出値、瞬間値、毎分流量値、通水量、逆流通水量、初期値、修正値、換算値、判定値、比較値、積算値、超越値、経過値、洗浄量値、放流量値（毎朝に浄水器カートリッジの使用開始前に行う捨て水）、吐水量値、一次水圧値（浄水器カートリッジに通水される前の水の水圧）、二次水圧値（浄水器カートリッジから流出してきたの水の水圧）、圧力損失値（一次水圧値−二次水圧値）、使用量値、使用限界値、交換時期、残量値、総量値、一日の平均使用量値、年月日、時刻、時計、動画、挿絵、静止画、線画、文字記号単位、浄水器カートリッジ嵌脱状況、交換日、履歴、浄水器カートリッジ型式（種類、寿命）、浄水器カートリッジ逆取付、浄水器カートリッジ性能値、浄水器カートリッジ濾材（重量）情報、浄水器カートリッジ滞留水量値、電池電圧値、電池残量値、スイッチ操作状況、モード選択状況、メッセージ、ガイダンス、メモリデータ、クレーム受付電話番号等の各種データ情報を、任意に寿命表示器に表示及び／又は警報（メロディを含む。）させることができることを特徴とする。
【００３５】
浄水器本体（直結型浄水器本体或いは据置型浄水器本体）の水路管Ｂ、流出管等の内壁等を洗浄し衛生保持するために、空容器、又は、空容器に洗浄剤、抗菌剤、除菌剤等を入れ洗浄用カートリッジとしたことを特徴とする浄水器カートリッジが、取り付けられることを特徴とする。
【００３６】
【発明の実施の形態】
発明の実施の形態について図面（但し、一部不図示のものがある。）を参照して説明する。
先ず、本発明の浄水器カートリッジについて説明する。
図６は本発明の第二実施例の寿命表示器付き直結型浄水器（水路管ａ，水路管ｂ搭載型）の斜視図である。ここでは図６に示された本発明の一実施例の活性炭カートリッジ１０を参照しながら説明する。
活性炭カートリッジ１０と中空糸膜フィルタカートリッジ４６とが独立している浄水器において、活性炭カートリッジ１０には、寿命を迎えた活性炭を排出し、新しい活性炭に詰め替えるだけでカートリッジ容器１１（例えば、ＡＢＳ樹脂）が再利用できるように、カートリッジ容器１１に着脱自在な、例えば、螺着式の容器蓋１２（例えば、ＡＢＳ樹脂）を設けた。
【００３７】
図７は本発明の第二実施例の寿命表示器付き直結型浄水器（水路管ａ，水路管ｂ搭載型）の正面パネルを開けた時の要部部分断面図を含む平面図であり、図８は図７から浄水器カートリッジを分離した時の要部部分断面図を含む平面図である。ここでは図８に示された本発明の一実施例の活性炭カートリッジ１０を参照しながら説明する。
不図示ではあるが、必要により、カートリッジ容器１１の流入口１３及び／又は流出口１４に、例えば、６０メッシュの金属メッシュフィルタ等を設けても良い。
又、水抜きを行いたい場合は、カートリッジ容器１１に水抜孔１５を設けても良い。
中空糸膜フィルタカートリッジ４６において、内蔵される中空糸膜フィルタが空気が通過できないものであれば、中空糸膜フィルタカートリッジ４６に空気抜孔４７を設けても良い。又、実開平５−６３６８９号公報等で開示されているように、空気を流出口４８に送る機構を設けても良い。
【００３８】
図２は本発明の第一実施例の寿命表示器付き直結型浄水器（水路管Ａ，水路管Ｂ搭載型）の斜視図であり、図３は本発明の第一実施例の寿命表示器付き直結型浄水器（水路管Ａ，水路管Ｂ搭載型）の底面図であり、図４は本発明の第一実施例の寿命表示器付き直結型浄水器（水路管Ａ，水路管Ｂ搭載型）の正面パネルを開けた時の要部部分断面図を含む平面図である。ここでは図２及び図４に示された本発明の一実施例の浄水器カートリッジ２０を参照しながら説明する。
活性炭２１と中空糸膜フィルタ２２とを有する浄水器カートリッジ２０において、活性炭２１だけが寿命を迎え、中空糸膜フィルタ２２は未だ使用できる場合、活性炭２１を排出し、新しい活性炭２１を詰め替えるだけで浄水器カートリッジ２０が再利用できるように、カートリッジ容器２３（例えば、ＡＢＳ樹脂）に着脱自在な、例えば、螺着式の容器蓋２４（例えば、ＡＢＳ樹脂）を設けた。
容器蓋２４の操作性を考慮すると、螺着式でなくても水圧に耐えれば、ワンタッチ式でもキャップ式等でも良い。
【００３９】
図５は図４から浄水器カートリッジを分離した時の要部部分断面図を含む平面図である。ここでは図５に示された本発明の一実施例の浄水器カートリッジ２０を参照しながら説明する。
不図示ではあるが、必要により、カートリッジ容器２３の流入口２６及び／又は流出口２７に、例えば、６０メッシュの金属メッシュフィルタ等を設けても良い。
又、水抜きを行いたい場合は、カートリッジ容器２３に水抜孔２５を設けても良い。
又、空気が通過できない中空糸膜フィルタ２２であれば、カートリッジ容器２３に空気抜孔２８を設けても良い。又、実開平５−６３６８９号公報等で開示されているように、空気を流出口２７に送る機構を設けても良い。
又、活性炭２１と中空糸膜フィルタ２２をつなぐ通路２９内に、例えば、金属メッシュフィルタ、ゴムメッシュフィルタ、樹脂メッシュフィルタ、不織紙フィルタ、不織布フィルタ、セルローズ繊維フィルタ、ガラス繊維フィルタ、還元性物質、吸着性物質、活性炭、亜硫酸カルシウム、キチンキトサン粉末、シリカゲル、麦飯石等の漢方薬、中空糸膜フィルタ、精密ろ過膜（ＭＦ膜）フィルタ、限外ろ過膜（ＵＦ膜）フィルタ、逆浸透膜（ＲＯ膜）フィルタ、電子交換体、イオン交換体（有機ゼオライト、無機ゼオライト、合成ゼオライト含む。）、イオン交換膜、イオン交換紙、イオン交換繊維、イオン交換樹脂、イオン交換樹脂触媒、オゾン発生装置、磁石（電磁石含む。）、セラミック体（例えば、セラミックボール）、多孔性無機物質、半導体（例えば、樹脂ボール体に二酸化チタンコーティング）等で構成されたもの等があり、さらに、除菌・抗菌・殺菌・微生物抑制剤（例えば、酸化チタン、亜鉛華）等を添加しても良い。
【００４０】
又、活性炭の量（質、形態、製造メーカ）及び／又は中空糸膜フィルタの中空糸本数等（材質、孔径、糸の太さ、断面積、製造メーカ）が異なる複数のカートリッジ型式（又は寿命）を有する浄水器カートリッジ２０において、そのカートリッジ型式及び／又は通水方向逆取付が識別できるように浄水器カートリッジ２０のカートリッジ容器２３に複数の磁石Ａ６３を埋設（一体成形）した。
活性炭カートリッジ１０と中空糸膜フィルタカートリッジ４６のカートリッジ容器にも複数の磁石Ａ６３を埋設しても良い。（図８参照。）
【００４１】
例えば、活性炭３０グラム及び／又は中空糸膜フィルタ３０００本で構成されるカートリッジ型式２０−１の浄水器カートリッジ２０においては、１個の磁石Ａ６３を埋設（磁石有＝１、磁石無＝０とし、配列は００１とする。）し、さらに離れた位置に１個の磁石Ａ６３を埋設（磁石有＝１、磁石無＝０とし、通水方向逆取付検出時の配列が０１０となるようにする。）する。
例えば、活性炭４０グラム及び／又は中空糸膜フィルタ５０００本で構成されるカートリッジ型式２０−２の浄水器カートリッジ２０においては、２個の磁石Ａ６３を間隔を開けて並列（直列、対角線上、横並び、縦並び）に埋設（磁石有＝１、磁石無＝０とし、配列は１０１とする。）し、さらに離れた位置に１個の磁石Ａ６３を埋設（磁石有＝１、磁石無＝０とし、通水方向逆取付検出時の配列が０１０となるようにする。）する。
このように磁石Ａ６３の埋設の仕方を工夫した場合、例えば、浄水器側に搭載される磁気検出装置Ａ（例えば、ホールＩＣ）を合計で３個設けた場合は３通り（磁石有＝１、磁石無＝０とし、配列は００１、１００、１０１）のカートリッジ型式が識別できる。
配列の０００は、浄水器カートリッジ２０が浄水器から離脱した場合に「離」と検出判断できるようにするため、カートリッジ型式検出用には使用しない。
又、配列の０１０は、浄水器カートリッジ２０を通水方向と逆に浄水器本体に取付けた（略して逆取付という。）場合に「逆」と検出判断できるようにするため、カートリッジ型式検出用には使用しない。
【００４２】
ここでは図４の本発明の一実施例の浄水器カートリッジ２０交換用の活性炭パック２１の断面図を参照しながら説明する。
細部においては、寿命を迎えた活性炭２１を排出し、新しい活性炭２１に詰め替えるときに、活性炭交換が容易になるように、新しい活性炭２１（粉末状、粒状、球状）を水（原水）に濡れれば溶解する気密性の良い（保存時に空気に含有される匂いを吸着しないためのもの。）オブラート部材１６（活性炭は塩酸賦活されている場合があり、耐酸性の良いものが選択される。）で包装した。（但し、繊維状、フエルト状の活性炭は扱い易いので、特にオブラート部材１６で包装する必要性が無い場合がある。）
水（原水）に濡れても溶解しない紙やフィルタ等で活性炭２１を、例えば、ティーバック状に包装しても良いが、包装された状態で浄化処理するより、通水により自由自在に浮遊させておいた方が、通水の偏りによる処理ムラが少なくなる効果が期待でき、寿命を迎えた後の活性炭を再活用（例えば、植木、花壇等の土にかけて保水性を向上させる。）したり、リサイクル（再生業者等に依頼して洗浄及び／又は再賦活して頂き再利用する。）したりしやすい。又、紙やフィルタ等はゴミになる可能性が高いのでなるべく使用しない方が良い。
【００４３】
本発明の浄水器について説明する。
図４は本発明の第一実施例の寿命表示器付き直結型浄水器４０（水路管Ａ，水路管Ｂ搭載型）の正面パネル８１を開けた時の要部部分断面図を含む平面図である。図５は図４から浄水器カートリッジ２０を分離した時の要部部分断面図を含む平面図である。
複数の磁石Ａ６３を埋設し複数のカートリッジ型式がある浄水器カートリッジ２０（活性炭カートリッジ１０及び／又は中空糸膜フィルタカートリッジ４６）において、直結型浄水器本体４１（或いは据置型浄水器本体７４）に複数の磁気検出装置Ａ６４（例えば、ホールＩＣ：消費電力を抑えるためには、規定時間毎に通電してデータ・サンプリングすると良い。）を設け、直結型浄水器本体４１（或いは据置型浄水器本体７４）から、例えば、浄水器カートリッジ２０−１（配列検出は００１）が離脱した場合に「離」と検出判断（配列検出は０００）し、例えば、新しい浄水器カートリッジ２０−２を直結型浄水器本体４１（或いは据置型浄水器本体７４）に取付けた場合に「着」と検出判断（配列検出は１０１）し、又該磁気検出装置Ａ６４の組合せ信号によりカートリッジ型式（２０−２）が検出でき、「離」の後に「着」が検出され直前に通水方向逆取付がなかった場合、そのカートリッジ型式（２０−２）の寿命判定に用いる寿命初期値（例えば、活性炭２０００リットル又は６ケ月、中空糸膜フィルタ２００００リットル又は圧力損失０．２ＭＰａ）やデータを、例えば、印刷配線基板ユニット６１内のＥＥＰＲＯＭ、フラッシュメモリ等の外部記憶装置等に書換保持することができる。
「離」の後に「着」が検出され直前に通水方向逆取付があった場合は、寿命初期値やデータを書換保持せずに、積算やカウント等の信号処理の続行を行うだけである。同様に、例えば、悪戯、嵌合状態確認等で、「離」、「着」、「離」、「着」等を短時間のうちに繰り返した時、或いは直結型浄水器本体４１（或いは据置型浄水器本体７４）の清掃（洗浄）の為に新しい浄水器カートリッジ２０との交換に必要な時間等をはるかに越える時間を要して「離」の後に「着」が検出された時等、マイコンに内蔵（ＲＯＭ又はＥＥＰＲＯＭ等）させる処理プログラムやソフトウェア（ノウハウ）にもよるが、積算値、寿命予想等を考慮して、寿命初期値やデータを書換保持せずに、積算やカウント等の信号処理の続行を行うだけである。
【００４４】
又、「離」の後に「逆」が検出判断（配列検出は０１０）され、逆流洗浄（例えば、通水時間４０秒、通水量５リットル）が実施された場合、その洗浄作用により回復された圧力損失等を勘案し、保持しているデータを、例えば、ＥＥＰＲＯＭ等の外部記憶装置に書換（修正）保持することができる。
逆流洗浄が実施されなかった場合は、書換（修正）保持等の処理を何も行わないものである。但し、「逆」が検出判断したフラグ（マイコンが処理しやすいように、ＲＡＭ、ＥＥＰＲＯＭ等に信号があったことを残しておくこと。）は保留しておく。次に「離」の後に「着」が検出された時にフラグリセット（ＲＡＭ、ＥＥＰＲＯＭ等のフラグを取り消すこと。）し、積算やカウント等の信号処理の続行が行えるようにする。
【００４５】
そして、浄水器カートリッジ２０のカートリッジ型式（２０−２）及び／又は通水方向逆取付や、寿命初期値（例えば、活性炭２０００リットル又は６ケ月、中空糸膜フィルタ２００００リットル又は圧力損失０．２ＭＰａ）及び／又はデータ書換（修正）値等を寿命表示器４２に表示及び／又は警報させることができる。
参考ではあるが、寿命初期値等は、浄水器カートリッジ製造メーカ等の保証値（実績値）等だけでなく、日本工業規格 JIS S 3201(1999) 家庭用浄水器試験方法、昭和３７年法律第１０４号家庭用品品質表示法、等を考慮して決定すると良い。
【００４６】
又、活性炭２１及び／又は中空糸膜フィルタ２２の寿命は、流量センサ３０と、差圧センサ５９と、時間計数部６５（通常は印刷配線基板ユニット６１に搭載されるマイコン６０に内蔵されている。）と、からの信号を演算処理して算出し、活性炭２１の寿命算出値及び／又は中空糸膜フィルタ２２の寿命算出値を寿命表示器４２に表示及び／又は警報させた。
【００４７】
図１５は本発明の浄水器に搭載される流水検出管９０の平面拡大断面図である。
詳しくは、活性炭２１及び／又は中空糸膜フィルタ２２の寿命は、回転羽根支持軸３２を有する前段整流羽根３３と、磁石Ｂ３４を内蔵する回転羽根３５と、該回転羽根３５と水中摺動する後段整流羽根３６と、からなる流量検出体３１と、該流量検出体３１の外周壁近傍に接離動可能に別設される磁気検出装置Ｂ３７（例えば、ホールＩＣ：消費電力を抑えるためには、規定時間毎に通電してデータ・サンプリングすると良い。）と、からなる分離型羽根車式流量センサ３８、又は、回転羽根支持軸３２を有する前段整流羽根３３と、磁石Ｂ３４を内蔵する回転羽根３５と、該回転羽根３５と水中摺動する後段整流羽根３６と、からなる流量検出体３１と、該流量検出体３１の外周壁近傍に並設され接離動不可能な磁気検出装置Ｂ３７（例えば、リードスイッチ）と、からなる一体型羽根車式流量センサ３９と、
ダイヤフラム５０と、ダイヤフラム板５１と、コア５３と、圧縮渦巻発条５５と、からなる圧力変位体４９と、該圧力変位体４９の外周壁近傍に配設され接離動不可能な磁気検出装置Ｃ５６（例えば、磁気検出コイル）と、からなる磁気検出コイル式差圧センサ５７（例えば、磁気検出コイルをＬとし、コンデンサをＣとした場合に、ＬＣ共振（発振）回路を構成し、規定時間毎に通電してデータ・サンプリングすれば、消費電力が抑えられる。）、又は、ダイヤフラム５０と、ダイヤフラム板５１と、磁石Ｃ５４と、圧縮渦巻発条５５と、からなる圧力変位体４９と、該圧力変位体４９の外周壁近傍に接離動可能に別設される磁気検出装置Ｃ５６（例えば、ホールＩＣ：消費電力を抑えるためには、規定時間毎に通電してデータ・サンプリングすると良い。）と、からなる磁気感動素子式差圧センサ５８と、
マイコン６０の外部に接続される振動子（例えば、水晶振動子、セラミック振動子）の周波数（例えば、５ＭＨｚ、３２．７６８ｋＨｚ）に基づき分周されたクロックを用いて動作するマイコン内蔵のタイマ／イベント・カウンタ／アップ・ダウン・カウンタ機能等の時間計数部６５（例えば、活性炭が原水に触れたときからの経過時間、待機総時間、通水総時間等を計測するもの。）と、
からの信号を演算処理して算出し、活性炭２１及び／又は中空糸膜フィルタ２２の寿命算出値等を寿命表示器４２に表示及び／又は警報させることができる。
【００４８】
本発明の一実施例では、磁気検出装置Ｂ３７及びリード線６６（配線材）の一部をポッティング材（例えば、ウレタン樹脂、ポリエステル樹脂、エポキシ樹脂、シリコーン樹脂等の電気絶縁材、接着シール材等で、他の材質の防水対策材、防湿対策材、結露対策材用等のものも含む。）で封止したものである。
該磁気検出装置Ｃ５６を、例えば、磁気検出コイルとした場合は、防水、防湿、結露対策のために、電気絶縁充填材（例えば、ポリエステル樹脂、エポキシ樹脂、シリコーン樹脂、ウレタン樹脂）の充填や、電気絶縁材（例えば、ポリエステル樹脂、エポキシ樹脂、シリコーン樹脂、ウレタン樹脂等の接着シール材等で、他の材質の防水対策材、防湿対策材、結露対策材用等のものも含む。）の塗布を行うと良い。
【００４９】
図１は本発明の第一実施例の寿命表示器付き直結型浄水器（水路管Ａ，水路管Ｂ搭載型）をシンクに取付けた時の使用状態を示す参考斜視図である。
浄水器の形態としては、流量検出体３１と圧力変位体４９とを内蔵する流水検出管９０と、流量検出体３１の磁気を検出する磁気検出装置Ｂ３７と、圧力変位体４９の磁気を検出する磁気検出装置Ｃ５６と、該磁気検出装置Ｂ３７及び該磁気検出装置Ｃ５６からの信号を演算処理する電子回路部品が実装された印刷配線基板ユニット６１と、表示装置４３及び／又は警報装置４４からなる寿命表示器４２と、槓杆７１を有する切替弁本体７０（浄水器ケース内の収納スペースとコストと等さえ許せば、表示装置４３等に操作スイッチ等を設けて、電動等で切替弁本体７０を回動させても良い。）と、直結型浄水器ケース８０（浄水器カートリッジ２０用は８０−１、活性炭カートリッジ１０及び／又は中空糸膜フィルタカートリッジ４６用は８０−２）と、からなる直結型浄水器本体４１（浄水器カートリッジ２０用は４１−１、活性炭カートリッジ１０及び／又は中空糸膜フィルタカートリッジ４６用は４１−２）と、浄水器カートリッジ２０（或いは活性炭カートリッジ１０及び／又は中空糸膜フィルタカートリッジ４６）と、からなる直結型浄水器４０〔いわゆる槓杆切替栓一体型浄水器〕（浄水器カートリッジ２０用は４０−１、活性炭カートリッジ１０及び／又は中空糸膜フィルタカートリッジ４６用は４０−２）とした。
流水検出管９０の原水流入口（１０１）には、図３に示した安全弁７７等を設けると良い。
切替弁本体７０と流量検出体３１と圧力変位体４９とを、原水の高水圧（例えば、動水圧で０．５ＭＰａ〔メガパスカル〕以上）による破裂（水漏れ、変形、破損その他の異常）等から保護するためのものではあるが、必要により安全弁７７の作動圧力設定を高く（例えば、０．８ＭＰａ以上）しておいた方が良いかもしれない。
安全弁７７の作動圧力設定は、コイルスプリング（例えば、ステンレス鋼線）のバネ定数で固定（例えば、０．８ＭＰａ）されているので、あまり作動圧力設定を低くしておくと、作動バラツキ（コイルスプリングのバネ定数等のバラツキ）により、止水不良と間違われるような放水状態が有り得るので、注意が必要である。
【００５０】
図１２は本発明の第四実施例の寿命表示器付き据置型浄水器７３−１（１ウェイ方式：吐水パイプ７８からの浄化水吐水）をシンクに取付けた時の使用状態を示す参考斜視図である。
図１３は本発明の第五実施例の寿命表示器付き据置型浄水器７３−２（２ウェイ方式：分岐栓７２からの浄化水吐水）をシンクに取付けた時の使用状態を示す参考斜視図である。
或いは、流量検出体３１と圧力変位体４９とを内蔵する流水検出管９０と、流量検出体３１の磁気を検出する磁気検出装置Ｂ３７と、圧力変位体４９の磁気を検出する磁気検出装置Ｃ５６と、該磁気検出装置Ｂ３７及び該磁気検出装置Ｃ５６からの信号を演算処理する電子回路部品が実装された印刷配線基板ユニット６１と、表示装置４３及び／又は警報装置４４からなる寿命表示器４２と、据置型浄水器ケース８４と、からなる据置型浄水器本体７４と、槓杆７１と切替弁本体７０とを有する分岐栓７２（分岐栓ケース内の収納スペースとコストと等さえ許せば、分岐栓７２等に操作スイッチ等を設けて、電動等で切替弁本体７０を回動させても良い。）と、浄水器カートリッジ２０（或いは活性炭カートリッジ１０及び／又は中空糸膜フィルタカートリッジ４６）と、からなる据置型浄水器７３〔いわゆる分岐栓分離式の据置型浄水器〕とした。
流水検出管９０の原水流入口（１０１）には、前記のように安全弁７７等を設けると良い。
【００５１】
詳しくは、流量検出体３１と圧力変位体４９とを内蔵する流水検出管９０は、原水流入口１０１と水路管Ｂ連絡口１０２と浄水器カートリッジ流入口用結合口１０４とを有する水路管Ａ１００（例えば、ＡＢＳ樹脂）と、浄水器カートリッジ流出口用結合口１１４と水路管Ａ連絡口１１２と浄水流出口１１１とを有する水路管Ｂ１１０（例えば、ＡＢＳ樹脂）と、からなり、該水路管Ａ１００の原水流入口１０１に内設される流量検出体３１は回転羽根支持軸３２を有する前段整流羽根３３と、磁石Ｂ３４を内蔵する回転羽根３５と、該回転羽根３５と水中摺動する後段整流羽根３６と、からなり、圧力変位体４９は該水路管Ｂ連絡口１０２と該水路管Ａ連絡口１１２との間に挟着されたダイヤフラム５０と、該ダイヤフラム５０の片面に設けられガイド軸５２を有するダイヤフラム板５１と、該ダイヤフラム板５１を常時弾発付勢している圧縮渦巻発条５５と、該ガイド軸５２に結合されたコア５３又は磁石Ｃ５４と、からなり、該流水検出管９０と、該圧力変位体４９の外周壁近傍に配設又は接離動可能に別設される磁気検出装置Ｃ５６と、該流量検出体３１の外周壁近傍に並設又は接離動可能に別設される磁気検出装置Ｂ３７と、該磁気検出装置Ｂ３７及び該磁気検出装置Ｃ５６及びマイコン６０内蔵のタイマ／イベント・カウンタ／アップ・ダウン・カウンタ機能等の時間計数部６５からの信号を演算処理する電子回路部品（例えば、パルス信号、アナログ信号、デジタル信号を演算処理する。）が実装された印刷配線基板ユニット６１と、例えば、交換可能な電池６２（例えば、単四乾電池二本、リチウム電池）と、ＬＥＤランプ・ＬＣＤ等の表示装置４３及び／又はブザー・スピーカ等の警報装置４４からなる寿命表示器４２と、槓杆７１（例えば、ＡＢＳ樹脂）を有する切替弁本体７０（例えば、特開平９−２９０２５５号公報、特開２０００−２８０１９号公報等で開示されているスプール弁方式の切替弁本体を採用することが望ましい。又、浄水器ケース内の収納スペースとコストと等さえ許せば、寿命表示器４２等に操作スイッチ等を設けて、電動等で切替弁本体７０を回動させても良い。）と、該切替弁本体７０と原水流入口１０１とを結合する配管部材９１（例えば、ＡＢＳ樹脂）と、該水路管Ｂの浄水流出口１１１に結合される流出管９２（例えば、ＡＢＳ樹脂）と、直結型浄水器ケース８０（例えば、ＡＢＳ樹脂）と、からなる直結型浄水器本体４１とした。
流水検出管９０の水路管Ａ１００の原水流入口１０１には、図３に示した安全弁７７等を設けると良い。
切替弁本体７０と流量検出体３１と圧力変位体４９とを、原水の高水圧（例えば、動水圧で０．５ＭＰａ〔メガパスカル〕以上）による破裂（水漏れ、変形、破損その他の異常）等から保護するためのものではあるが、必要により安全弁７７の作動圧力設定を高く（例えば、０．８ＭＰａ以上）しておいた方が良いかもしれない。
安全弁７７の作動圧力設定は、コイルスプリング（例えば、ステンレス鋼線）のバネ定数で固定（例えば、０．８ＭＰａ）されているので、あまり作動圧力設定を低くしておくと、作動バラツキ（コイルスプリングのバネ定数等のバラツキ）により、止水不良と間違われるような放水状態が有り得るので、注意が必要である。
【００５２】
或いは、流量検出体３１と圧力変位体４９とを内蔵する流水検出管９０は、原水流入口１０１と水路管Ｂ連絡口１０２と浄水器カートリッジ流入口用結合口１０４とを有する水路管Ａ１００と、浄水器カートリッジ流出口用結合口１１４と水路管Ａ連絡口１１２と浄水流出口１１１とを有する水路管Ｂ１１０と、からなり、該水路管Ａ１００の原水流入口１０１に内設される流量検出体３１は回転羽根支持軸３２を有する前段整流羽根３３と、磁石Ｂ３４を内蔵する回転羽根３５と、該回転羽根３５と水中摺動する後段整流羽根３６と、からなり、圧力変位体４９は該水路管Ｂ連絡口１０２と該水路管Ａ連絡口１１２との間に挟着されたダイヤフラム５０と、該ダイヤフラム５０の片面に設けられガイド軸５２を有するダイヤフラム板５１と、該ダイヤフラム板５１を常時弾発付勢している圧縮渦巻発条５５と、該ガイド軸５２に結合されたコア５３又は磁石Ｃ５４と、からなり、該流水検出管９０と、該圧力変位体４９の外周壁近傍に配設又は接離動可能に別設される磁気検出装置Ｃ５６と、該流量検出体３１の外周壁近傍に並設又は接離動可能に別設される磁気検出装置Ｂ３７と、該磁気検出装置Ｂ３７及び該磁気検出装置Ｃ５６及びマイコン６０内蔵のタイマ／イベント・カウンタ／アップ・ダウン・カウンタ機能等の時間計数部６５からの信号を演算処理する電子回路部品が実装された印刷配線基板ユニット６１と、例えば、交換可能な電池６２と、ＬＥＤランプ・ＬＣＤ等の表示装置４３及び／又はブザー・スピーカ等の警報装置４４からなる寿命表示器４２と、分岐栓７２（１ウェイ方式用の分岐栓は７２−１、２ウェイ方式用の分岐栓は７２−２）からの給水ホース８７が接続できる流入管９３と、該流入管９３と原水流入口１０１とを結合する配管部材９４（例えば、ＡＢＳ樹脂）と、該水路管Ｂの浄水流出口１１１に結合され分岐栓７２（７２−１）へ戻さず直接浄化水が吐水できる吐水パイプ７８（１ウェイ方式：吐水パイプ７８からの浄化水吐水）が接続できる流出管９５−１（例えば、ＡＢＳ樹脂）或いは分岐栓７２（７２−２）への吐水ホース７９（２ウェイ方式：分岐栓７２からの浄化水吐水）が接続できる流出管９５−２（例えば、ＡＢＳ樹脂）と、据置型浄水器ケース８４（１ウェイ方式用は８４−１、２ウェイ方式用は８４−２）と、からなる据置型浄水器本体７４（１ウェイ方式用は７４−１、２ウェイ方式用は７４−２）とした。
流水検出管９０の水路管Ａ１００の原水流入口１０１には、前記のように安全弁７７等を設けると良い。
【００５３】
本発明の一実施例では、印刷配線基板ユニット６１をポッティング材（例えば、ウレタン樹脂、ポリエステル樹脂、エポキシ樹脂、シリコーン樹脂等の電気絶縁材、接着シール材等で、他の材質の防水対策材、防湿対策材、結露対策材用等のものも含む。）で封止したものである。
【００５４】
図３は本発明の第一実施例の寿命表示器付き直結型浄水器（水路管Ａ，水路管Ｂ搭載型）の底面図である。
直結型浄水器４０（或いは据置型浄水器７３）は、槓杆７１の切替えで水道水ストレート吐水／水道水シャワー吐水／浄化水吐水が可能である。
詳しくは水道水ストレート吐水は切替弁７０の水道水ストレート吐水口７６より吐水され、水道水シャワー吐水は切替弁７０の水道水シャワー吐水口７５（泡沫網付き）より吐水され、浄化水吐水は流出管流出口９８（浄化水吐水口）より吐水される。
本発明の一実施例の直結型浄水器４０（或いは据置型浄水器７３）の、例えば、ＡＢＳ樹脂で形成された正面パネル８１（或いは正面パネル８５）を開くことにより、容易に浄水器本体カートリッジ２０（或いは活性炭カートリッジ１０及び／又は中空糸膜フィルタカートリッジ４６）の嵌脱（交換）ができるものである。
本発明の一実施例の直結型浄水器４０（或いは据置型浄水器７３）の、例えば、ＡＢＳ樹脂で形成された底面パネル８２（或いは底面パネル８６）を開くことにより、容易に電池６２の嵌脱（交換）ができるものである。
【００５５】
図６は本発明の第二実施例の寿命表示器付き直結型浄水器（水路管ａ，水路管ｂ搭載型）の斜視図であり、図７は本発明の第二実施例の寿命表示器付き直結型浄水器（水路管ａ，水路管ｂ搭載型）の正面パネルを開けた時の要部部分断面図を含む平面図であり、図８は図７から浄水器カートリッジを分離した時の要部部分断面図を含む平面図である。
そして、前記浄水器本体（直結型浄水器本体４１又は据置型浄水器本体７４）において、流入口１３と流出口１４とを有するカートリッジ容器１１に活性炭２１を内蔵し着脱自在な容器蓋１２を着けた活性炭カートリッジ１０と、流入口１８と流出口１９とを有するカートリッジ容器１７に中空糸膜フィルタ２２を内蔵させた中空糸膜フィルタカートリッジ４６が嵌脱できるように、水路管Ａ１００に更に活性炭カートリッジ流出口用結合口１０５と水路管Ｂ連結口１０６とを設けて水路管ａ１０８とし、水路管Ｂ１１０に更に中空糸膜フィルタカートリッジ流入口用結合口１１５と水路管Ａ連結口１１６とを設けて水路管ｂ１１８とし、該水路管Ｂ連結口１０６と該水路管Ａ連結口１１６との間に水密パッキン類１０７（例えば、Ｏリング）を挟着した。
【００５６】
図９は本発明の第三実施例の寿命表示器付き直結型浄水器（水路管Ｃ増設型）の斜視図であり、図１０は図９から水路管Ｃ及び浄水器カートリッジを分離した時の要部部分断面図を含む平面図であり、図１１は図９から浄水器カートリッジを分離した時の要部部分断面図を含む平面図である。
或いは、前記浄水器本体（直結型浄水器本体４１又は据置型浄水器本体７４）において、流入口１３と流出口１４とを有するカートリッジ容器１１に活性炭２１を内蔵し着脱自在な容器蓋１２を着けた活性炭カートリッジ１０と、流入口１８と流出口１９とを有するカートリッジ容器１７に中空糸膜フィルタ２２を内蔵させた中空糸膜フィルタカートリッジ４６が嵌脱でき、活性炭カートリッジ流入口用結合口１２１と活性炭カートリッジ流出口用結合口１２２と中空糸膜フィルタカートリッジ流入口用結合口１２３と中空糸膜フィルタカートリッジ流出口用結合口１２４と水路管Ａ結合口１２５と水路管Ｂ結合口１２６とを有する水路管Ｃ１２０（例えば、ＡＢＳ樹脂）を形成し、水路管Ａ１００の浄水器カートリッジ流入口用結合口１０４には該水路管Ａ結合口１２５を結合し、水路管Ｂ１１０の浄水器カートリッジ流出口用結合口１１４には該水路管Ｂ結合口１２６を結合させることもできる。
【００５７】
細部においては、管路内の雑菌繁殖（浄化水は残留塩素濃度が少ないために殺菌性に乏しい。）等を予防するために、水路管Ｂ１１０の浄水流出口１１１及び／又は該浄水流出口１１１に結合される流出管９２に、例えば、渦巻発条形状、筒形状、リング形状、中空角柱形状等の、銀及び／又は銅を含有する抗菌部材を内設した。
又、流出管９２の流出口９８（浄化水吐水口）には一実施例として銅製（ステンレス製でも良い。）の泡沫網（例えば、特開平９−３１３９８９号公報等参照。）を設けた。（図３参照。）
【００５８】
又、ダイヤフラム５０（例えば、ゴム）及び／又は該ダイヤフラム５０の片面に設けられガイド軸５２を有するダイヤフラム板５１（例えば、ＰＯＭ樹脂）及び／又は該ダイヤフラム板５１を常時弾発付勢している圧縮渦巻発条５５（例えば、ステンレス鋼線）に銀及び／又は銅の鍍金、塗布、被覆（コーティング）加工を施した。
又、ガイド軸５２に結合されたコア５３又は磁石Ｃ５４に銀及び／又は銅の鍍金、塗布、被覆加工を施した。
【００５９】
本発明においては、銀及び／又は銅という表現を採用したが、例えば、抗菌性金属添着合成樹脂、銅銀合金、銅合金、抗菌性金属添着金属等も含まれるものとする。又抗菌性金属においては銀、銅等が有り、添着、添加、含有、コーティング、メッキ、蒸着等の処理加工方法を問わないものである。
このような抗菌処理等をすることにより、ダイヤフラム５０、ダイヤフラム板５１、圧縮渦巻発条５５、コア５３又は磁石Ｃ５４等の抗菌性が向上し、異物、固形物、スケール堆積物、ぬめり、水垢、糊状皮膜等が付着（成長）しにくくすることが可能である。
【００６０】
電子制御システムを分散させず、なるべく一箇所に設置し防水対策等が容易になるように、圧力変位体４９の外周壁近傍に接離動可能に別設される磁気検出装置Ｃ５６と、流量検出体３１の外周壁近傍に接離動可能に別設される磁気検出装置Ｂ３７と、該磁気検出装置Ｂ３７及び該磁気検出装置Ｃ５６及びマイコン６０内蔵のタイマ／イベント・カウンタ／アップ・ダウン・カウンタ機能等の時間計数部６５からの信号を演算処理する電子回路部品が実装された印刷配線基板ユニット６１と、電池６２と、ＬＥＤランプ・ＬＣＤ等の表示装置４３及び／又はブザー・スピーカ等の警報装置４４からなる寿命表示器４２と、を寿命表示器ケース４５内に収納し、浄水器本体（直結型浄水器本体４１又は据置型浄水器本体７４）の正面部８１（或いは正面部８５）に内設した。
【００６１】
差圧センサ５９（磁気検出コイル式差圧センサ５７又は磁気感動素子式差圧センサ５８）においては、浄水器カートリッジ２０への無通水時はダイヤフラム５０が水路管Ａ１００又は水路管Ｂ１１０の内壁に密接して原水流入口１０１内の水を滞留させる止水弁効果を、又水道蛇口等の給水栓の負圧時はダイヤフラム５０が水路管Ａ１００又は水路管Ｂ１１０の内壁と密接して活性炭カートリッジ流入口用結合口１０４内の水を吸水させない逆止弁効果を、それぞれ作用させることができる。
【００６２】
前記差圧センサ５９の止水弁効果や逆止弁効果により流量センサ３０内の水が抜けることがないので、常に流量検出体３１を水中待機させることができるものである。又、前記止水弁効果や逆止弁効果は、流量検出体３１等の管路内の雑菌繁殖（浄化水は残留塩素濃度が少ないために殺菌性に乏しい。）等を予防する効果もある。
よって、流量センサ３０（分離型羽根車式流量センサ３８又は一体型羽根車式流量センサ３９）においては、浄水器カートリッジ２０への無通水時は回転羽根支持軸３２を有する前段整流羽根３３と、磁石Ｂ３４を内蔵する回転羽根３５と、該回転羽根３５と水中摺動する後段整流羽根３６と、からなる流量検出体３１を水中待機させ、低流量通水開始時においても該回転羽根３５を回転させることができる。
【００６３】
本発明の一実施例の直結型浄水器４０（或いは据置型浄水器７３）においては、差圧センサ５９と、流量センサ３０と、マイコン６０の外部に接続される振動子の周波数に基づき分周されたクロックを用いて動作するマイコン６０内蔵のタイマ／イベント・カウンタ／アップ・ダウン・カウンタ機能等の時間計数部６５と、からの信号を演算処理して算出することにより、検出値（時間も含む。以下同じ。）、算出値、瞬間値、毎分流量値、通水量、逆流通水量、初期値、修正値、換算値、判定値、比較値、積算値、超越値、経過値、洗浄量値、放流量値、吐水量値、一次水圧値、二次水圧値、圧力損失値、使用量値、使用限界値、交換時期、残量値、総量値、一日の平均使用量値等をはじめ、年月日、時刻、時計、動画、挿絵（挿画）、静止画、線画、文字記号単位、浄水器カートリッジ嵌脱状況、交換日、履歴、浄水器カートリッジ型式（種類、寿命）、浄水器カートリッジ逆取付、浄水器カートリッジ性能値、浄水器カートリッジ濾材（重量）情報、浄水器カートリッジ滞留水量値、電池電圧値、電池残量値、スイッチ操作状況、モード選択状況、メッセージ、ガイダンス、メモリデータ、クレーム受付電話番号等の各種データ情報を、スイッチ８３操作等で、任意に寿命表示器４２に表示及び／又は警報（メロディを含む。）させることができるものである。
【００６４】
浄水器本体（直結型浄水器本体４１又は据置型浄水器本体７４）の水路管Ｂ１１０、流出管９２等の内壁等を洗浄し衛生保持するために、空容器とした又は空容器に洗浄剤、抗菌剤、除菌剤等を入れたことを特徴とする浄水器カートリッジが取り付けられる。
【００６５】
以上、本発明の好適な実施の形態について述べてきたが、本発明は上述する実施の形態に限定されるものでなく、発明の精神を逸脱しない範囲で多くの組合せ、改変等を施し得るのはもちろんである。
【００６６】
例えば、通水停止時の電力消費防止の目的に、回転羽根支持軸を中心とした場合、磁気検出装置Ｂに対し略直角位置に磁性体（例えば、単層又は積層した熱間圧延珪素鋼板、鉄板）を流量検出体に設けて回転羽根に回転停止位置規制させると良い。（例えば、特開２０００−５５７０６号公報等参照。）
【００６７】
例えば、寿命表示器のＬＥＤランプ・ＬＣＤ等の表示装置には、数字表示、バー表示、ドット表示、等について、点滅表示、点灯表示、消灯表示、順次点灯、順次消灯等を組合せて、浄水器カートリッジの寿命表示、積算流量表示、瞬間流量表示等を表示すると良い。
【００６８】
本発明の一実施例の浄水器においては、一次電池（充電のできない電池）駆動式としたが、２次電池（充電のできる電池）駆動式でも良い。又、浄水器本体にコネクタ、ケーブル等を内蔵し、外部電源駆動式としても良いし、２次電池を充電するようにしても良い。
又、一次電池（２次電池）交換方式でも、一次電池を内蔵する印刷配線基板ユニット交換方式でも良い。
【００６９】
又、抗菌性向上のために、水（原水又は浄化水）に接する部材等（水路管Ａ、水路管Ｂ、水路管Ｃ、流入管、配管部材、流出管等）の内壁等に、銀及び／又は銅の鍍金、塗布、被覆加工を施すと良い。必要であれば、浄水器カートリッジのカートリッジ容器の内壁等にも、銀及び／又は銅の鍍金、塗布、被覆加工を施すと良い。
【００７０】
【発明の効果】
本発明の寿命表示器付き浄水器においては、低流量通水開始時においても回転羽根（羽根車）が回転する流量センサと、止水弁機能や逆止弁機能等を有する差圧センサと、の複合センサにより、活性炭及び／又は中空糸膜フィルタそのものの寿命を判断し、その寿命等を各々表示及び／又は警報させることができるという効果を奏する。
【００７２】
又、活性炭の量及び／又は中空糸膜フィルタの中空糸本数等により、カートリッジ型式（又は寿命）の異なる複数の浄水器カートリッジが扱えるという効果を奏する。
【図面の簡単な説明】
【図１】本発明の第一実施例の寿命表示器付き直結型浄水器（水路管Ａ，水路管Ｂ搭載型）をシンクに取付けた時の使用状態を示す参考斜視図である。
【図２】本発明の第一実施例の寿命表示器付き直結型浄水器（水路管Ａ，水路管Ｂ搭載型）の斜視図である。
【図３】本発明の第一実施例の寿命表示器付き直結型浄水器（水路管Ａ，水路管Ｂ搭載型）の底面図である。
【図４】本発明の第一実施例の寿命表示器付き直結型浄水器（水路管Ａ，水路管Ｂ搭載型）の正面パネルを開けた時の要部部分断面図を含む平面図である。
【図５】図４から浄水器カートリッジを分離した時の要部部分断面図を含む平面図である。
【図６】本発明の第二実施例の寿命表示器付き直結型浄水器（水路管ａ，水路管ｂ搭載型）の斜視図である。
【図７】本発明の第二実施例の寿命表示器付き直結型浄水器（水路管ａ，水路管ｂ搭載型）の正面パネルを開けた時の要部部分断面図を含む平面図である。
【図８】図７から浄水器カートリッジを分離した時の要部部分断面図を含む平面図である。
【図９】本発明の第三実施例の寿命表示器付き直結型浄水器（水路管Ｃ増設型）の斜視図である。
【図１０】図９から水路管Ｃ及び浄水器カートリッジを分離した時の要部部分断面図を含む平面図である。
【図１１】図９から浄水器カートリッジを分離した時の要部部分断面図を含む平面図である。
【図１２】本発明の第四実施例の寿命表示器付き据置型浄水器（１ウェイ方式：吐水パイプからの浄化水吐水）をシンクに取付けた時の使用状態を示す参考斜視図である。
【図１３】本発明の第五実施例の寿命表示器付き据置型浄水器（２ウェイ方式：分岐栓からの浄化水吐水）をシンクに取付けた時の使用状態を示す参考斜視図である。
【図１４】図１３において正面パネルを開けた時の使用状態を示す参考斜視図である。
【図１５】本発明の浄水器に搭載される流水検出管の平面拡大断面図である。
【符号の説明】
１０…活性炭カートリッジ、１１…カートリッジ容器、１２…容器蓋、１３…流入口、１４…流出口、１５…水抜孔、１６…オブラート部材、１７…カートリッジ容器、１８…流入口、１９…流出口、２０…浄水器カートリッジ、２１…活性炭、２２…中空糸膜フィルタ、２３…カートリッジ容器、２４…容器蓋、２５…水抜孔、２６…流入口、２７…流出口、２８…空気抜孔、２９…通路、３０…流量センサ、３１…流量検出体、３２…回転羽根支持軸、３３…前段整流羽根、３４…磁石Ｂ、３５…回転羽根、３６…後段整流羽根、３７…磁気検出装置Ｂ、３８…分離型羽根車式流量センサ、３９…一体型羽根車式流量センサ、４０…直結型浄水器（浄水器カートリッジ２０用は４０−１、活性炭カートリッジ１０及び／又は中空糸膜フィルタカートリッジ４６用は４０−２）、４１…直結型浄水器本体（浄水器カートリッジ２０用は４１−１、活性炭カートリッジ１０及び／又は中空糸膜フィルタカートリッジ４６用は４１−２）、４２…寿命表示器、４３…表示装置、４４…警報装置、４５…寿命表示器ケース、４６…中空糸膜フィルタカートリッジ、４７…空気抜孔、４８…流出口、４９…圧力変位体、５０…ダイヤフラム、５１…ダイヤフラム板、５２…ガイド軸、５３…コア、５４…磁石Ｃ、５５…圧縮渦巻発条、５６…磁気検出装置Ｃ、５７…磁気検出コイル式差圧センサ、５８…磁気感動素子式差圧センサ、５９…差圧センサ、６０…マイコン、６１…印刷配線基板ユニット、６２…電池、６３…磁石Ａ、６４…磁気検出装置Ａ、６５…時間計数部、６６…リード線（配線材）、７０…切替弁本体、７１…槓杆、７２…据置型浄水器用分岐栓（１ウェイ方式用は７２−１、２ウェイ方式用は７２−２）、７３…据置型浄水器（１ウェイ方式用は７３−１、２ウェイ方式用は７３−２）、７４…据置型浄水器本体（１ウェイ方式用は７４−１、２ウェイ方式用は７４−２）、７５…切替弁水道水シャワー吐水口、７６…切替弁水道水ストレート吐水口（泡沫網付き）、７７…安全弁、７８…吐水パイプ、７９…吐水ホース、８０…直結型浄水器ケース（浄水器カートリッジ２０用は８０−１、活性炭カートリッジ１０及び／又は中空糸膜フィルタカートリッジ４６用は８０−２）、８１…直結型浄水器正面部〔正面パネル〕（浄水器カートリッジ２０用は８１−１、活性炭カートリッジ１０及び／又は中空糸膜フィルタカートリッジ４６用は８１−２）、８２…直結型浄水器底面部〔底面パネル〕（浄水器カートリッジ２０用は８２−１、活性炭カートリッジ１０及び／又は中空糸膜フィルタカートリッジ４６用は８２−２）、８３…スイッチ、８４…据置型浄水器ケース（１ウェイ方式用は８４−１、２ウェイ方式用は８４−２）、８５…据置型浄水器正面部〔正面パネル〕、８６…据置型浄水器底面部〔底面パネル〕、８７…給水ホース、９０…流水検出管、９１…配管部材、９２…流出管、９３…流入管、９４…配管部材、９５…流出管、９８…流出管流出口（浄化水吐水口、泡沫網付き）、１００…水路管Ａ、１０１…原水流入口、１０２…水路管Ｂ連絡口、１０４…浄水器カートリッジ流入口用結合口、１０５…活性炭カートリッジ流出口用結合口、１０６…水路管Ｂ連結口、１０７…水密パッキン類、１０８…水路管ａ、１１０…水路管Ｂ、１１１…浄水流出口、１１２…水路管Ａ連絡口、１１４…浄水器カートリッジ流出口用結合口、１１５…中空糸膜フィルタカートリッジ流入口用結合口、１１６…水路管Ａ連結口、１１８…水路管ｂ、１２０…水路管Ｃ、１２１…活性炭カートリッジ流入口用結合口、１２２…活性炭カートリッジ流出口用結合口、１２３…中空糸膜フィルタカートリッジ流入口用結合口、１２４…中空糸膜フィルタカートリッジ流出口用結合口、１２５…水路管Ａ結合口、１２６…水路管Ｂ結合口
【図１】
0003674906.tif 000002
【図２】
0003674906.tif 000003
【図３】
0003674906.tif 000004
【図４】
0003674906.tif 000005
【図５】
0003674906.tif 000006
【図６】
0003674906.tif 000007
【図７】
0003674906.tif 000008
【図８】
0003674906.tif 000009
【図９】
0003674906.tif 000010
【図１０】
0003674906.tif 000011
【図１１】
0003674906.tif 000012
【図１２】
0003674906.tif 000013
【図１３】
0003674906.tif 000014
【図１４】
0003674906.tif 000015
【図１５】
0003674906.tif 000016